(57)【要約】【課題】光ビームの光パワーを調整するための光ビーム透過調整手段で生じる有害な迷光を機構の大型化を招くことなく抑える。【解決手段】光ビーム透過調整手段の第１の透過素子と第２の透過素子を保持するホルダを、第１の基準面と第１の透過素子との角度をθ１、第１の基準面と第２の基準面との角度をθ２としたとき、θ１およびθ２を光ビームが第１の透過素子を透過する第１の位置にあるとき第２の透過素子の反射によって有害な迷光が生じない第２の透過素子角度θ３と光ビームが第２の透過素子を透過する第２の位置にあるとき第１の透過素子によって有効光束が遮蔽されない第１の透過素子角度θ４より下記数式１および下記数式２で算出される角度に構成する。(数１)  θ１＝（θ３＋θ４）／２(数２)  θ２＝（１８０°＋θ３−θ４）／２【選択図】図２
2008217881.tif 000002
【特許請求の範囲】
【請求項１】
所定の光パワーを有する第１の光ビームを発する第１の光源と、前記第１の光ビームの透過量を調整する光ビーム透過調整手段と、前記光ビーム透過調整手段を透過した前記光ビームを情報記録媒体に集光する第１の集光手段と、所定の光パワーを有する第２の光ビームを発する第２の光源と、前記第２の光ビームを情報記録媒体に集光する第２の集光手段と、を有する光ピックアップであって、前記光ビーム透過調整手段は第１の透過率を有する第１透過素子と、前記第１の透過率よりも高い第２の透過率を有する第２透過素子とを、前記第１透過素子および前記第２透過素子に平行な回転軸回りに前記光ビームが前記第１透過素子を透過する第１の位置と前記第２透過素子を透過する第２の位置とを切り替える回転駆動切替機構であって、前記回転駆動切替機構は、前記第１透過素子および前記第２透過素子を保持し、前記第１透過素子および前記第２透過素子に平行な回転穴を設けた保持体と、前記保持体に装着される前記第１の位置および前記第２の位置を保つための吸着力を発生する第１および第２の永久磁石と、前記保持体の回転穴と勘合しその軸心が前記光ビームの略光軸上にある軸を一体的に形成した前記第１の位置および前記第２の位置で前記保持体を保持する基台と、前記基台にそれぞれ装着される前記第１の永久磁石を吸着するための第１鉄心と、前記第１鉄心と同心にあって前記第１の永久磁石に反発力を与える第１コイルと、前記第２の永久磁石を吸着するための第２鉄心と、前記第２鉄心と同心にあって前記第２の永久磁石に反発力を与える第２コイルとで構成したものであって、前記保持体には前記第１透過素子とθ１の角度をなす前記第１の位置で前記基台と当接する第１基準面と前記第２透過素子と同じくθ１の角度をなす前記第２位置で前記基台と当接する第２基準面とを前記第１基準面と前記第２基準面が略９０度の角度θ２をなすよう形成し、前記基台には前記保持体の前記第１基準面と前記第２基準面とが当接する規制面が形成されていることを特徴とする光ピックアップ。
【請求項２】
前記回転駆動切替機構が前記第１の位置にあるとき、前記第２透過素子の透過面の前記第１の光ビームの光軸に対する時計方向角度θ３が、前記第１透過素子を透過した前記第１の光ビームの一部が前記第２透過素子で反射して迷光となり前記第２の集光手段に入射しないような角度に設定してあることを特徴とする光ピックアップ。
【請求項３】
前記回転駆動切替機構が前記第２位置にあるとき、前記第１透過素子の透過面の前記第１の光ビームの光軸に対する時計方向角度θ４が、前記第２透過素子を透過した前記第１の光ビームの有効光束が前記第１透過素子によって遮蔽されないような角度に設定してあることを特徴とする光ピックアップ。
【請求項４】
前記保持体の前記角度θ１は、前記角度θ３および前記角度θ４より、下記数式１で算出される値に設定してあることを特徴とする光ピックアップ。
（数１）
θ１＝（θ３＋θ４）／２
【請求項５】
前記保持体の前記角度θ２は、前記角度θ３および前記角度θ４より、下記数式２で算出される値に設定してあることを特徴とする光ピックアップ。
（数２）
θ２＝（１８０°＋θ３−θ４）／２
【請求項６】
前記第１の光源は、青色の波長領域において発光する半導体レーザである、請求項１から５のいずれか１項に記載の光ピックアップ。
【請求項７】
前記第２の光源は、緑色から紫外線の波長領域において発光する半導体レーザである、請求項１から６のいずれか１項に記載の光ピックアップ。
【請求項８】
前記情報記録媒体からの反射光を検出する光検出器をさらに有する請求項１から７のいずれか１項に記載の光ピックアップ、および、検出された前記反射光に基づいて、再生信号およびサーボ信号のすくなくとも一方を生成する信号処理回路を備えた情報処理装置。
【発明の詳細な説明】
【技術分野】
【０００１】
本発明は、光ピックアップおよび情報処理装置に関するもので、より具体的には本発明は、ＧａＮ系半導体を用いた青色発光の半導体レーザ等の短波長の半導体レーザを放射する光ピックアップおよび情報処理装置に関する。
【背景技術】
【０００２】
ＤＶＤは、デジタルデータをＣＤの約６倍の記録密度で記録することが可能であり、映画や音楽などの大容量のデジタルデータを書き込むことができる情報記録媒体（光ディスク）として知られている。近年は、記録対称となる情報の情報量が増大しているため、さらに容量の大きい情報記録媒体が求められている。
【０００３】
光ディスクの情報記録媒体の容量を大きくするためには、情報の記録密度を高くする必要がある。これは一般に、データの書き込み時および読み出し時に光ディスクに放射されるレーザ光のスポット径を小さくすることによって実現される。そして、光のスポット径を小さくするためには、レーザ光の波長をより短くし、かつ、対物レンズの開口数（ＮＡ）を大きくすればよい。さらに、例えば波長４０５ｎｍの青色レーザ光と、ＮＡ０．８５の対物レンズを使用することによって、現在のＤＶＤのさらに５倍の記録密度で情報を記録することができる。
【０００４】
青色レーザ等を用いてレーザ光の短波長化することに加え、さらに記録密度を高めるため、１枚の光ディスクに複数の記録層を設ける技術の開発も進んでいる。例えば、２層の記録層を有する光ディスクを得ることが可能になれば、上述のレーザ光の短波長化およびＮＡの大きな対物レンズの使用と併せて、記録密度は１層の記録層を有するＤＶＤの約１０倍になる。
【０００５】
しかしながら、青色レーザを光源とする光ディスク装置では、青色レーザにおける再生用の光パワーのマージンは極めて小さいため、光源の量子ノイズが問題となる。
例えば特許文献１に示す従来の光ディスク装置は、レーザ光の経路に対して概ね垂直に出し入れ可能に光ビーム透過調整手段（強度フィルタ）を設けた光ピックアップが開示されている。この光ディスク装置は、再生時には強度フィルタをレーザ光の経路に挿入し、記録時には強度フィルタを出射光の経路から外すように移動させる。これにより、例えば半導体レーザの量子ノイズを低く保つことができ、良質の再生が可能となっている。
【０００６】
しかし、この光ディスク装置はレーザ光の経路に対して垂直かつ直線的に出し入れ可能に強度フィルタを設けているため、強度フィルタが移動するための空間が必要になる、その結果、光ピックアップ装置が大型化してしまうという問題が生じていた。
このような問題を解決するために、光軸上に直線的に移動する強度フィルタに代えて回転によって光軸上に移動する強度フィルタを設けた他の光ピックアップ装置が考えられる。以下、図３から図５を参照しながら、この光ピックアップを説明する。
【０００７】
図３は、従来の光ピックアップ装置の構成を示す。ＧａＮ系の青色発光する第１の半導体レーザ光源３０が青色の第１の光ビーム４４を放射すると、第１の光ビーム４４は光ビーム透過調整手段３１に入射する。光ビーム透過調整手段３１は、光ディスク３２からのデータの読み出し時か、光ディスク３２へのデータの書き込み時かに応じて所定の位置に回動され、強度フィルタの位置が調整されている。光ビーム透過調整手段３１を透過した第１の光ビーム４４は、ビームスプリッタ３３で反射され、コリメートレンズ３４で平行光にされ、ミラー３５で反射され、第１の対物レンズ３６を透過して、光ディスク３２上に集光される。
【０００８】
データの読み出し時には、集光された第１の光ビーム４４は光ディスク３２の記録層で反射され、逆の経路でビームスプリッタ３３に至り、ビームスプリッタ３３を透過して、マルチレンズ３７を経てフォトダイオード３８に入射する。フォトダイオード３８は、いわゆる光検出器であり、入射した光の位置および強度に基づいて電気信号を出力する。その電気信号に基づいて、データが再現される。
【０００９】
一方、データの書き込み時には、集光された第１の光ビーム４４によって情報層上に光スポットが形成される。その結果、光スポットが形成された部分の記録層の状態（例えば結晶状態）が書き込み対象のデータに応じて変化する。これにより光ディスク３２には、記録層の状態の変化としてデータが書き込まれる。
【００１０】
また、緑色から紫外線の波長領域で発行する第２の半導体レーザ光源４０から放射された第２の光ビーム４５は詳細は省略するが第１の光ビームと同様な光学系４１を経て第２の対物レンズ３９を透過して光ディスク３２上へ集光される。光ディスク３２で反射された第２のビームの戻り光学系についても第１のビームと同様であるので省略する。
【００１１】
図４および図５は従来の光ビーム透過調整手段の実施例である。
図４（ａ）は従来の光ビーム透過調整手段である回転駆動切替機構１２の斜視図を、図４（ｂ）は回転駆動切替機構１２の組立分解図を示す。図５（ａ）は回転駆動切替機構１２の第１の光ビームが第１の透過素子１を透過している第１の位置を示す正面図、図５（ｂ）は第１の光ビームが第２の透過素子２を透過している第２の位置を示す正面図である。以下図４（ａ）、（ｂ）と適宜図５（ａ）、（ｂ）により回転駆動切替機構の構成を説明する。
【００１２】
図４（ｂ）に示すように、回転駆動切替機構１２はベース３と、コイル４、５と、鉄心６、７と、ホルダ８と、永久磁石９、１０と、第１および第２の透過素子１、２とにより構成される。ベース３はコイル４、５を装着するためのコイル保持部１４と、ホルダ８を回転保持する軸１１と規制面１６とを一体的に構成してある。コイル４とコイル５は直列に接続され、鉄心６はコイル４に、鉄心７はコイル５にそれぞれ挿入され、ベース３のコイル保持部１４にコイル４および５の通電時の発生磁極の方向が等しくなるよう接着固定される。ベース３は光ピックアップ基台（図示しない）に対してコイル４、５が第１の光ビームの光軸と平行となる姿勢で接着固定される。規制面１６はコイル４、５の端面と平行に形成され、光ピックアップ基台に固定された状態では第１の光ビームの光軸に対し垂直方向となる。
【００１３】
ホルダ８には互いに直交する第１の装着面１８と第２の装着面１９が形成されており第１の装着面１８には第１の透過素子１が、第２の装着面１９にはと第２の透過素子２が、それぞれ接着固定される。
第１の透過素子１には透過率が５０〜６５％の光学フィルタ１ａが塗布されており透過する第１の光ビームの光パワーを減衰させる。一方、第２の透過素子２には光学フィルタは塗布されておらず、第１の光ビームの光パワーを概ね維持した状態で光ビームを透過させる。また第１および第２の透過素子１および２は厚み０．２ｍｍ程度の平行平板ガラスでできている。後述するように厚みを薄くすることで切替時の透過素子の相対角度誤差による光軸ずれを最小に押えている。またホルダ８には先端が球面形状となっている２組のそれぞれ３個の小突起組２０ａ、２０ｂ、２０ｃおよび２１ａ、２１ｂ、２１ｃが形成されており、図５（ａ）あるいは（ｂ）に示すように３個の小突起組２０ａ、２０ｂ、２０ｃの先端が形成する第１の基準面２０は第１の装着面１８と平行に、３個の小突起組２１ａ、２１ｂ、２１ｃの先端が形成する第２の基準面２１は第２の装着面１９と平行に、それぞれなるよう小突起組２０ａ、２０ｂ、２０ｃと２１ａ、２１ｂ、２１ｃは形成されている。
またホルダ８には２個の永久磁石９、１０が、それぞれの磁化方向が永久磁石９は第１の基準面に、永久磁石１０は第２の基準面にそれぞれ直交する姿勢で、かつ極性が第１の基準面側の永久磁石９のａ部と第２の基準面側の永久磁石１０のｂ部が逆極性となるよう接着固定されている。つまり、図５（ａ）に示すように永久磁石９のａ部がＮ極とすると永久磁石１０のｂ部はＳ極に配置される。
【００１４】
図４（ｂ）に示すように、ホルダ８の中央には第１の装着面１８および第２の装着面１９のいずれもに対し平行な方向に穴２４が形成されている。図５（ａ）に示すように、穴２４のセンターから第１の基準面２０と穴２４のセンターから第２の基準面２１との距離Ｌは等しく、かつベース３の規制面１６と軸１１との距離とも等しくなるよう形成されている。図４（ｂ）に示すように、ベース３の軸１１の先端には爪先が外向きの一対の樹脂バネ２５が一体的に形成されており、ホルダ８挿入時は弾性変形して穴２４を透過し挿入後は爪先が元の状態に開いてホルダ８が抜け落ちないよう保持する。挿入後、ホルダ８は軸１１の軸方向に０．１ｍｍ程度のすきまを持つよう設定され、また保持軸１１の直径はホルダ８の穴２４の直径に比べ１０％程度小さく形成されている。このように軸方向、穴半径方向ともにガタの大きい勘合状態に設定することによりホルダ８が軸１１を回動するとき、ほとんど摺動抵抗を受けることなくスムーズに回動できる。
【００１５】
次に第１および第２の透過素子の切替動作について説明する。
ホルダ８をいずれかの方向に、たとえば反時計方向に回転させていくと永久磁石９と鉄心６との間に吸引力が生じ、小突起組２０ａ、２０ｂ、２０ｃがベース３の規制面１６に当接する。図５（ａ）は小突起組２０ａ、２０ｂ、２０ｃが規制面１６に当接した状態、すなわち第１の光ビームが第１の透過素子を透過する第１の位置を示す。
【００１６】
前述の通り規制面１６から軸１１までの距離とホルダ８の第１の基準面２０と穴２４までの距離とは等しく設定してあるため、この第１の位置では穴２４と軸１１とは光軸方向には隙間を持って、光軸と垂直方向には隙間分自由に動けるので、小突起組２０ａ、２０ｂ、２０ｃは無理なく３点とも永久磁石９と鉄心６との吸引力により規制面１６に当接し、小突起組２０ａ、２０ｂ、２０ｃで形成する第１の基準面２０は規制面１６と同一平面となる。したがって、第１の基準面２０と平行である第１の透過素子１も規制面１６と平行、すなわち第１の光ビームの光軸に対し垂直となる。
【００１７】
次に第１の位置から第２の位置に回転させるメカニズムについて説明する。
今、図５（ａ）で示す第１の位置にあるとき、コイル４に永久磁石９のａの極性、ここではＮ極、と反発するようＮ極の磁界を発生させる方向にパルス電流を流す。このときの電流値を永久磁石９と鉄心６との吸引力を上回る反発力が発生するよう設定すると、パルス電流を印加した結果ホルダ８は時計方向の回転駆動力を与えられ回動を始める。パルス電流印加時間はホルダ８が回動を始め、第２の位置に移る時間より１０ｍｓｅｃ程度長めに設定する。その結果ホルダが第１の位置と第２の位置との中間を超えると惰性による回転力に加え、今度は永久磁石１０のｂ部の極性、ここではＳ極、とコイル５に発生するＮ極の磁界とが吸引するため、もう一方の小突起組２１ａ、２１ｂ、２１ｃが規制面１６に当接するまでホルダ８は回転を続ける。
【００１８】
図５（ｂ）に小突起組２１ａ、２１ｂ、２１ｃが規制面１６に当接し第１の光ビームが第２の透過素子２を透過する第２の位置を示す。ホルダ８が回動して第２の位置で停止してから１０ｍｓｅｃ程度経過してパルス電流が消滅するが、消滅後も永久磁石１０と鉄心７が吸着することで第２の位置が保たれる。この状態では前述の図５（ａ）で示す第１の位置と同様に第２の基準面２１が規制面１６と同一平面にあるから第２の透過素子２は規制面１６と平行となり、第１の光ビームの光軸に対し垂直となる。
【００１９】
第２の位置から再び第１の位置への切替は第１の位置から第２の位置に切り替えるときに流したパルス電流と逆方向のパルス電流をコイル４、５に印加すると、規制面１６側のコイル５の端面には先ほどと逆の磁界が発生し永久磁石１０と反発して今度は逆にホルダが反時計方向に回動して第１の位置へ切り替わる。このコイルへの印加電圧とパルス電流の印加時間は一例としてコイル内径（＝鉄心径）がφ１．３ｍｍ、コイル外径がφ２．３ｍｍ、コイル長が３．２ｍｍ、コイル線形がφ０．０８ｍｍの場合、コイル抵抗は７．２Ωであり印加電圧が５Ｖでパルス電流が７００ｍＡ、印加時間は４０ｍｓｅｃ程度である。
【００２０】
次に第１の透過素子と第２の透過素子の切替角度誤差による影響を図６により説明する。
図６（ａ）は第１の位置、図６（ｂ）は第２の位置での透過素子と光軸の関係を示してある。図６（ａ）に示すように第１の透過素子１が光軸に対し垂直であれば光ビームが透過素子１を透過しても光軸は変化しないが、図６（ｂ）に示すように、第２の位置に切替えたとき第２の透過素子２が角度誤差ｎを持った場合、光ビームが第２の透過素子２を透過するとスネルの法則により屈折を生じ光軸にｄのずれが生じる。光軸にずれが生じると光ディスク上で集光、反射して光検出器に戻ったスポットの位置にずれが生じる。スポット位置のずれが大きいと光検出器よりはみ出してしまうため信号劣化が生じる。なお、この角度誤差による光軸ずれが生じるのは透過素子を透過する光ビームが本構成例のように発散光である場合であり、平行光が透過する場合は光軸ずれは生じない。光軸ずれｄは角度誤差ｎが大きいほど、また透過素子の厚みｔが大きいほど大きくなる。このため透過素子
厚みｔを０．２ｍｍ程度に薄くしてあるが、一例として透過素子厚みｔが０．２ｍｍの場合許容できる角度誤差ｎは±１°程度となる。また光検出器のは第１あるいは第２のいずれかの位置で最適となるよう調整組立されるため、許容角度誤差は光軸に対する絶対角度ではなく、第１の透過素子１と第２の透過素子２の相対角度誤差で決定される。
【００２１】
従来例の回転駆動切替機構１２での切替角度誤差は、以上の説明よりベース３の規制面１６の平面度と、第１の基準面２０と第１の装着面１８の平行度、および第２の基準面２１と第２の装着面１９の平行度、によってのみ決定されるが、樹脂製形部品であるベース３およびホルダ８で切替角度誤差±１°を達成することは成型精度上問題になることはない。
【特許文献１】特開２０００−１９５０８６号公報
【発明の開示】
【発明が解決しようとする課題】
【００２２】
しかしながら、従来のような回転駆動切替機構としたことにより簡易な構成で切替動作による角度ずれを小さく抑え、装置の小型化の実現を可能とした一方、図５（ａ）に示す第１の位置の状態において発散光である青色波長領域の光ビームの一部が第２の透過素子２により反射し迷光２６となって、図示しないが第２の対物レンズ３９に入射し、第２の対物レンズ３９が樹脂製である場合、樹脂材料が青色波長領域の光ビームに対する対候性が低いため材質が劣化しレンズの光学性能が低下するという問題が発生した。
【００２３】
この第２の透過素子２で反射して生じる樹脂レンズに対し有害な迷光の発生を防ぐための第１の方法として、第１の位置において第２透過素子２の光ビームの光軸に対する角度を、第２の対物レンズ３９に入射しないよう傾けることが考えられる。一例として傾ける角度は時計方向に約１５度必要である。図７に第１の方法を示す。図７に示すように、第１の装着面１８と第１の基準面２０および第２の装着面１９と第２の基準面２１がそれぞれ平行に構成すると第１の基準面２０と第２の装着面１９との角度θ２’を約１０５°とする必要がある。ところがθ２’を大きくしようとすると設計上の制限によりホルダ８が大きくなる。図７に二点鎖線で比較として元の形状を示す。図示のようにホルダが大きくなることで元の形状に比較して重量が増加し慣性モーメントは約７０％増加する。重量および慣性モーメントが増加すると最低駆動電圧が増加し低電圧駆動が困難になるという問題が生じる。また、ホルダを大きくすることを回避するため、第２の迷光防止の方法として、第１の基準面と第２の基準面の角度θ２は９０°のままとし、第１の装着面と第１の基準面および第２の装着面と第２の基準面とをそれぞれ角度θ１（＝１５°）を設ける方法も考えられる。図８（ａ）に第２の方法の第１の位置を図８（ｂ）に第２の方法の第２の位置をそれぞれ示す。図８（ａ）に示すように第１の位置においては第２の透過素子２は光軸に対し角度θ１傾き迷光を防ぐ。この時第１の透過素子１も光軸に垂直から角度θ１傾いているので光軸ずれが発生し記録媒体で反射して受光素子上に戻ってきたスポット位置がずれるが、このずれ量は受光素子上で数十ミクロンの量であり受光素子組立時の調整で十分吸収できるため問題はない。
【００２４】
しかしこの第２の方法の場合、図８（ｂ）に示すように第２の位置においては第１の透過素子１の光軸に対する角度θ４が角度θ１と等しくなるが、一例としてこの傾きが１０°を超えると第２の透過素子２を透過した光ビームの有効光束４２の一部４３（斜線部）を第１の透過素子１が遮蔽してしまう。迷光防止に必要な角度よりは遮蔽が始まる角度のほうが小さいため第２の方法では迷光防止と有効光束遮蔽回避が両立しない問題があった。
【課題を解決するための手段】
【００２５】
本発明による光ピックアップは、所定の光パワーを有する第１の光ビームを発する第１の光源と、前記第１の光ビームの透過量を調整する光ビーム透過調整手段と、前記光ビーム透過調整手段を透過した前記第１の光ビームを情報記録媒体に集光する第１の集光手段と、所定の光パワーを有する第２の光ビームを発する第２の光源と、前記第２の光ビームを情報記録媒体に集光する第２の集光手段と、を有している。
【００２６】
そして前記光ビーム透過調整手段は第１の透過率を有する第１透過素子と、前記第１の透過率よりも高い第２の透過率を有する第２透過素子とを、前記第１透過素子および前記第２透過素子に平行な回転軸回りに前記第１の光ビームが前記第１透過素子を透過する第１の位置と前記第２透過素子を透過する第２の位置とを切り替える回転駆動切替機構であって、前記回転駆動切替機構は、前記第１透過素子および前記第２透過素子を保持し、前記第１透過素子および前記第２透過素子に平行な回転穴を設けた保持体と、前記保持体に装着される前記第１の位置および前記第２の位置を保つための吸着力を発生する永久磁石と、前記保持体の回転穴と勘合しその軸心が前記第１の光ビームの中心線上にある軸を一体的に形成した前記第１の位置および第２位置で前記保持体を保持する基台と、前記基台にそれぞれ装着される前記永久磁石の一方の磁極を吸着するための第１鉄心と前記第１鉄心と同心にあって前記永久磁石の前記一方の磁極に反発力を与える第１コイルと前記永久磁石のもう一方の磁極を吸着するための第２鉄心と、前記第２鉄心と同心にあって前記永久磁石の前記もう一方の磁極に反発力を与える第２コイルとで構成したものであって、前記保持体には前記第１透過素子とθ１の角度をなす前記第１の位置で前記基台と当接する第１基準面と、前記第２透過素子と同じくθ１の角度をなす前記第２の位置で前記基台と当接する第２基準面とを前記第１基準面と前記第２基準面が略９０度の角度θ２をなすよう形成し、前記基台には前記保持体の前記第１基準面と前記第２基準面とが当接する規制面が形成されている。
【００２７】
そして前記回転駆動切替機構が前記第１の位置にあるとき、前記第２透過素子の透過面の前記第１の光ビームの光軸に対する時計方向角度θ３が、前記第１透過素子を透過した前記第１の光ビームの一部が前記第２透過素子で反射して迷光となり前記第２の集光手段に入射しないような角度に設定してある。
【００２８】
また前記回転駆動切替機構が前記第２の位置にあるとき、前記第１透過素子の透過面の前記第１の光ビームの光軸に対する時計方向角度θ４が、前記第２透過素子を透過した前記第１の光ビームの有効光束が前記第１透過素子によって遮蔽されないような角度に設定してある。
【００２９】
また前記保持体の前記角度θ１は、前記角度θ３および前記角度θ４より、前記数式１で算出される値に設定してある。
【００３０】
また前記保持体の前記角度θ２は、前記角度θ３および前記角度θ４より、前記数式２で算出される値に設定してある。
前記第１の光源は、青色の波長領域において発光する半導体レーザであってもよい。
前記第２の光源は、緑色から紫外線の波長領域において発光する半導体レーザであってもよい。
【００３１】
本発明による情報処理装置は、前記情報記録媒体からの反射光を検出する光検出器をさらに有する光ピックアップ、および、検出された前記反射光に基づいて、再生信号およびサーボ信号のすくなくとも一方を生成する信号処理回路を備えていてもよい。
【００３２】
前記情報処理装置は、記録層の数が異なる複数種類の情報記録媒体を装填することが可能であり、装填された情報記録媒体に対して前記記録層の数に応じた光パワーの大きさを有する光ビームを放射して、データを読み出しおよび／または書き込む。
【００３３】
前記情報処理装置は、記録層の数が１層の情報記録媒体が装填されたときは、前記回転駆動切替機構によって前記第１の位置に切り替えて前記記録層に対して第１の光パワーを有する光ビームを放射し、記録層の数が複数の情報記録媒体が装填されたときは、前記回転駆動切替機構によって前記第２位置に切り替えて、前記記録層の１つに対して第２の光パワーを有する光ビームを放射してもよい。
【発明の効果】
【００３４】
本発明に依れば、透過率の異なる２個の透過素子を回転駆動させて光ビームの光パワーを切り替える光ビーム透過調整手段が、機構容積の増大をきたすことなく、一方の切替位置において光ビームを透過させていない方の透過素子の反射による有害な迷光を発生を防ぎ、かつもう一方の切替位置においては光ビームを透過させていない方の透過素子が光ビームの有効光束を遮蔽することを防ぐ構成を実現することが可能であるため、消費電力の低い小型の光ピックアップを供給することが実現できる。
【発明を実施するための最良の形態】
【００３５】
以下、添付の図面を参照しながら、本発明の実施の形態を説明する。
【００３６】
図１は本発明による光ビーム透過調整手段である回転駆動切替機構１２の斜視図を示す。本発明はホルダの第１および第２透過素子と第１および第２基準面の角度構成に関するものであるので回転駆動切替機構の構成自体は従来とまったく同一であるので説明を省略する。
【００３７】
図２（ａ）、（ｂ）はホルダ８の前記角度構成を示す図である。図２（ａ）は第１の光ビームが第１の透過素子１を透過する第１の位置を、図２（ｂ）は第１の光ビームが第２の透過素子２を透過する第２の位置をそれぞれ示す。
【００３８】
図２（ａ）に示すように第１の位置における第２の透過素子２が第１の光ビームの光軸となす角度θ３は、第１の光ビームが第２の透過素子２で反射して迷光となって第２の対物レンズ３９（図示しない）に入射しない必要最小の角度、一例として１５度、となるように、ホルダ８の小突起組２０ａ、２０ｂ、２０ｃの先端で形成する第１の基準面２０に対する第２の装着面１８の角度θ２’が１０５度になるよう形成されている。
また図２（ｂ）に示すように第２の位置における第１の透過素子１が第１の光ビームの光軸となす角度θ４は、第２の透過素子２を透過した第１の光ビームの有効光束４２を遮蔽しない必要最大の角度、一例として５度、となるように、すなわちホルダ８の小突起組２１ａ、２１ｂ、２１ｃの先端で形成する第２の基準面２１に対する第１の装着面１８角度θ５が８５度の角度になるよう形成されている。
【００３９】
ここで角度θ３を必要最小、また角度θ４を必要最大の値とした理由は、角度θ３が大きくなるほど、また角度θ４が小さくなるほどホルダ８が大型となり、最低駆動電圧も上昇するからであり、回転駆動切替機構１２の小型化を図るためには角度θ３はできるだけ小さく、角度θ４はできるだけ大きくする必要がある。
【００４０】
また図２（ａ）に示す第１の位置において第１の基準面２０に対する第１の透過素子１の角度θ１は、図２（ｂ）に示す第２の位置における第２の基準面２１に対する第２の透過素子２の角度θ１’と等しくなければならない、なぜなら前述の図６による説明の通り第１の光ビームの光軸に対する第１の透過素子１の角度と第２の透過素子２の角度にずれがあると切替えた時に透過素子を透過した第１の光ビームの光軸ずれが発生し、記憶媒体で反射して受光素子上に戻ってくるスポット位置がずれるからである。
【００４１】
また第１の基準面２０と第２の基準面２１が当接するベース３の規制面１６は同一平面であることが望ましい。なぜなら規制面を分割して第１の基準面２０が当接する面と第２の基準面２１が当接する面に角度を持たせるとコイル４および５も平行ではなくこれと同じ角度を持って配置しないといけないためベースの大型化をきたす。またベース成型金型構造上からも二面の角度精度を出すよりは一平面の平面精度を出すほうが精度上有利だからである。
【００４２】
これらの条件を考慮した結果、第１基準面に対する第１の装着面１８の角度θ１および第２基準面に対する第２の装着面１８の角度θ１’＝θ１は前記数式１で求められる値に設定すればよい。
上述の数値例の場合、θ１（＝θ１’）は１０度となる。
【００４３】
また図２（ａ）に示す第１基準面と第２基準面との角度θ２は前記数式２で求められる値に設定すればよい。
上述の数値例の場合、θ２は９５°となる。
【００４４】
本実施形態では光学フィルタが塗布された透過素子と光学フィルタが塗布されていない透過素子とを切り替えることで光ビームの光パワーを切り替えたが、光透過率の異なる２個の透過素子を切り替えることで光ビームの光パワーを切り替えてもよい。
【００４５】
本実施形態では光ビーム透過調整手段はデータの読み出し時と書き込み時とで第１の光ビームの光パワーを切り替えた。しかし、情報記録媒体が１層の記録層を有する場合と２層の記録層を有する場合とで第１の光ビームの光パワーを切り替えてもよい。
【産業上の利用可能性】
【００４６】
本発明に依れば、有害な迷光発生のないかつ小型で消費電力の小さい光ビーム透過調整手段を提供できるので、消費電力の小さい小型の光ピックアップ、およびそのような光ピックアップを有する情報処理装置を得ることができる。
【図面の簡単な説明】
【００４７】
【図１】本発明による光ビーム透過調整手段である回転駆動切替機構１２の斜視図
【図２】（ａ）はホルダ８が第１の光ビームが第１の透過素子１を透過している第１の位置にある状態を示す図、（ｂ）はホルダ８が第１の光ビームが第２の透過素子２を透過している第２の位置にある状態を示す図
【図３】従来の光ピックアップ装置の構成を示す図
【図４】（ａ）は従来の回転駆動切替機構１２の斜視図、（ｂ）は従来の回転駆動切替機構１２の組立分解図
【図５】（ａ）は従来の回転駆動切替機構１２の第１の光ビームが第１の透過素子１を透過している第１の位置を示す正面図、（ｂ）は第１の光ビームが第２の透過素子２を透過している第２の位置を示す正面図
【図６】（ａ）は第１の位置での透過素子と光軸の関係を示す図、（ｂ）は第２の位置で切替角度誤差が生じた場合の透過素子と光軸の関係を示す図
【図７】有害な迷光発生を防ぐための第１の方法を示す図
【図８】（ａ）は有害な迷光発生を防ぐ第２の方法の第１の位置を示す図、（ｂ）はその第２の位置を示す図
【符号の説明】
【００４８】
１  第１の透過素子
２  第２の透過素子
３  ベース
４、５  コイル
６、７  鉄心
８  ホルダ
９、１０  永久磁石
１１  ベースのホルダ保持軸
１２  回転駆動切替機構
１４  ベースのコイル保持部
１６  ベースのホルダ規制面
１８  ホルダの第１の面
１９  ホルダの第２の面
２０ａ、２０ｂ、２０ｃ  ホルダの小突起
２０  ホルダの第１の基準面
２１ａ、２１ｂ、２１ｃ  ホルダの小突起
２１  ホルダの第２の基準面
２４  ホルダの穴
３０  第１の半導体レーザ光源
３１  光ビーム透過調整手段
３２  光ディスク
３３  ビームスプリッタ
３４  コリメートレンズ
３５  ミラー
３６  第１の対物レンズ
３７  マルチレンズ
３８  フォトダイオード
３９  第２の対物レンズ
４０  第２の半導体レーザ光源
４１  光学系
４２  有効光束
４３  遮蔽された有効光束の一部
４４  第１の光ビーム
４５  第２の光ビーム
【図１】
2008217881.tif 000003
【図２】
2008217881.tif 000004
【図３】
2008217881.tif 000005
【図４】
2008217881.tif 000006
【図５】
2008217881.tif 000007
【図６】
2008217881.tif 000008
【図７】
2008217881.tif 000009
【図８】
2008217881.tif 000010